(57)【要約】【課題】  磁気現像ハウジングにおいて、安価な磁気ロールシールを提供する。【解決手段】  磁気ロール４５を現像ハウジングにシールするための装置は、ばね付勢された側壁９６、９７、９８を有し、その側壁の中にフェルト・シール９１が配置されたプラスチック・リテーナ９０を包含する。前記のばね付勢されたプラスチック・リテーナの側壁が、フェルト・シールを適所に保持し、磁気ロールへの取り付けを容易にする。【選択図】          図３
2005208637.tif 000002
【特許請求の範囲】
【請求項１】
電子写真式印刷機の処理ステーションに用いる装置であって、
シール部材と、
前記シール部材を保持する構成のプラスチック・リテーナ部材とを備え、
前記プラスチック・リテーナ部材は、前記シール部材が該プラスチック・リテーナ部材から持ち上がるのを防止する側部パネルと、前記シール部材が現在の位置から回転するのを防止するリップ部材とを含むことを特徴とする装置。
【請求項２】
光導電性面上に記録された静電潜像がトナーによって現像されて可視画像を形成する形式の電子写真式印刷機であって、
磁気現像剤の供給を内部に保存するチャンバを定めるハウジングと、
磁気トナーを前記チャンバから取り出して、磁気トナーを前記光導電性面に付着させる構成の磁気ロールと、
シール装置とを備え、該シール装置が、プラスチック・リテーナ内に配置されたシールを含み、トナーが前記磁気ロールの両端部から漏れるのを防止するようになった、
ことを特徴とする電子写真式印刷機。
【請求項３】
静電画像を現像するのに適した磁気現像システムであって、
供給用磁気現像剤を内部に保存するチャンバを定めるハウジングと、
磁気トナーを前記チャンバから取り出して磁気トナーを前記光導電性面に付着させるようになった磁気ロールと、
シール装置とを備え、該シール装置が、プラスチック・リテーナ内に配置されたシールを含み、トナーが前記磁気ロールの両端部から漏れるのを防止するようになった、
ことを特徴とする磁気現像システム。
【発明の詳細な説明】
【技術分野】
【０００１】
本発明は、現像ハウジングに関し、より具体的には、磁気現像ハウジングのためのシール装置に関する。
【背景技術】
【０００２】
電子写真印刷の処理においては、光導電性部材は、均一に帯電され、原稿書類の光画像に露光される。光導電性部材の露光により、原稿書類内に含まれる情報区域に応じて、静電潜像が記録される。静電潜像が光導電性面上に記録された後、この静電潜像は、現像剤を接触させることによって現像される。一般的に、現像剤は、摩擦電気的にキャリア粒子に付着しているトナー粒子を含む。トナー粒子は、キャリア粒子から引き付けられ、原稿書類内に含まれる情報区域に対応する光導電性部材上にトナー粉末画像を形成する。トナー粉末画像は次に、複写用紙に転写され、画像形態で複写用紙に永久的に定着される。
【０００３】
電子写真式印刷機では、磁気ロールが、現像ステーション及び清掃ステーションによく用いられる。一般的に、磁気ロールは、固定磁石と同心円状に周りに配置された回転する管とを含む。現像ステーションにおいて、摩擦電気的に付着しているトナー粒子を含む磁気キャリア粒子の現像剤が、磁気ロールにより生成される磁場によって管に引き付けられる。管表面は、通常、粗く加工されているので、現像剤と管との間の摩擦力により、該現像剤が該管と共に回転させられる。現像剤は、管により、光導電性部材上に記録された静電潜像に極めて近接した位置まで進む。清掃ステーションにおいて、キャリア粒子の層が管に付着し、該管と共に移動する。キャリア粒子の層が光導電性部材に極めて近接して進むので、残りのトナー粒子は、該キャリア粒子の層に引き付けられ、該キャリア粒子と共に該光導電性部材から遠ざかるように移動する。その後、残留トナー粒子は、光導電性部材から清掃される。
【０００４】
トナーがプリンタの内部に漏れるのを防止するために、磁気ロールが支持される現像ハウジングが、磁気ロールに対してシールされることが、プリンタの性能にとって重要である。これは、過去において既に達成されているが、過剰なコストを伴うものであった。例えば、希土類の磁気シールが用いられて成功しているが、それらは相当に高価である。磁気ロールを現像ハウジングにシールするために、フェルト・シールが用いられたが、フェルト・シールは、取り付け、接着剤の寿命、接着剤に伴なう部品汚染、効果の薄れた接着剤及び効果の低い接着剤に伴う問題を示し、これらの問題により、磁気ロールが、光導電性部材に対する適正な位置からはずれてシール内でスピンすることがある。
【０００５】
【特許文献１】米国特許第４８２３１０２号明細書
【発明の開示】
【発明が解決しようとする課題】
【０００６】
明らかに、磁気現像ハウジングにおいて、安価な磁気ロールシールに対する必要性が依然として存在する。
【課題を解決するための手段】
【０００７】
したがって、本願において、磁気ロールを現像ハウジングにシールするための装置が開示される。上記課題に答える磁気ロールを現像ハウジングにシールするための装置は、ばね付勢された側壁を有し、その側壁の中にフェルト・シールが配置されたプラスチック・リテーナを包含する。前記のばね付勢されたプラスチック・リテーナの側壁が、フェルト・シールを適所に保持し、磁気ロールへの取り付けを容易にする。
【発明を実施するための最良の形態】
【０００８】
図面の図１を参照すると、原稿文書が、ラスタ入力スキャナ（ＲＩＳ）２８上の文書ハンドラ２７内に配置される。ＲＩＳは、文書照明ランプ、光学系、機械的走査駆動装置、及び電荷結合素子（ＣＣＤ）アレイを含む。ＲＩＳは、原稿文書全体を取り込み、それを一連のラスタ走査線に変換する。この情報は、以下に説明されるラスタ出力スキャナ（ＲＯＳ）を制御するコントローラすなわち電子サブシステム（ＥＳＳ）２９に伝送される。
【０００９】
図１は、一般的に光導電性ベルト１０を用いる電子写真式印刷機を概略的に示すものである。光導電性ベルト１０は、接地層で被覆された光導電性材料から作られ、接地層はカール阻止用バッキング層に被膜されていることが好ましい。ベルト１０は矢印１３の方向に移動し、その移動通路の周りに配設された種々の処理ステーションを順次通って、連続する部分を進む。ベルト１０は、剥離ローラ１４、緊張ローラ２０及び駆動ローラ１６の周りに移動する。ローラ１６が回転するにつれて、ベルト１０は矢印１３の方法に進む。
【００１０】
最初に、光導電性面の一部が帯電ステーションＡを通過する。帯電ステーションＡにおいて、コロナ生成装置２２が、光導電性ベルト１０を、比較的高いほぼ均一の電位に帯電する。
【００１１】
露光ステーションＢにおいて、制御装置すなわち電子サブシステム（ＥＳＳ）２９が、所望の出力画像を表す画像信号を受け取り、これらの信号を処理して、画像の連続階調表現或いはグレースケール表現の信号に変換し、この信号は例えばラスタ出力スキャナ（ＲＯＳ）３０のような変調出力生成器に送られる。ＥＳＳは、内蔵型の専用ミニコンピュータであることが好ましい。ＥＳＳ２９に送られる画像信号は、上述のようにＲＩＳから生じることもできるし、コンピュータから生じることもできるため、電子写真式印刷機が、１つ又はそれ以上のコンピュータのための、離れて配置されたプリンタとして働くことが可能になる。或いは、プリンタは、高速コンピュータのための専用プリンタとして働くものとすることができる。印刷機によって複製されることが所望される連続階調画像に対応して、ＥＳＳ２９からの信号がＲＯＳ３０に送られる。ＲＯＳ３０は、回転するポリゴンのミラーブロックを持つレーザーを含む。ＲＯＳは光導電性ベルトを露光し、ＥＳＳ２９から受け取った連続階調画像に対応して、静電潜像をその上に記録する。これとは別に、ＲＯＳ３０は、ラスタ毎に、光導電性ベルト１０の帯電された部分を照らすように配置された発光ダイオード（ＬＥＤ）の直線状アレイを用いることもできる。
【００１２】
静電潜像が光導電性面１２上に記録された後、ベルト１０は潜像を、ステーションＣのハウジング４０を含む磁気現像ユニット３８に進め、そこでトナーは、一般に知られている技術を用いて、静電的に潜像に引き付けられる。潜像は、キャリア粒子からトナー粒子を引き付け、その上にトナー粉末画像を形成する。
【００１３】
図１を続けて参照すると、静電潜像が現像された後、ベルト１０上にあるトナー粉末画像は、転写ステーションＤに進む。印刷用紙４８は、用紙給紙装置５０によって転写ステーションＤに進められる。用紙給紙装置５０は、スタック５４の最上層の用紙を供給ロール５２及び遅延ロール５３によって形成されるニップ５５に供給する紙押しロール５１を含むことが好ましい。給紙ロール５２が回転して用紙をスタック５４から垂直移送部５６に進める。垂直移送部５６により、前進している支持材料の用紙４８が、位置合わせ移送部１２０に向けられ、次に画像転写ステーションＤを超えて進み、該光導電性ベルト１０上に形成されたトナー粉末画像が、転写ステーションＤにおいて、前進している用紙４８と接触するように、用紙４８が時間系列で光導電性ベルト１０から画像を受けるようにする。転写ステーションＤは、用紙４８の裏面にイオンを吹き付けるコロナ生成装置５８を含む。これにより、トナー粉末画像が光導電性面１２から用紙４８に引き付けられる。次に、用紙は、該用紙４８の裏面に反対の極性に帯電しているイオンを吹き付けて受光体から該用紙を取り外すのを助けるコロナ生成装置５９によって該受光体から取り外される。転写後、用紙４８は、該用紙４８を定着ステーションＦに進めるベルト移送部６２を経て、矢印６０の方向に移動を続ける。
【００１４】
定着ステーションＦは、転写されたトナー粉末画像を永久的に複写用紙に付着させる定着器アセンブリ７０を含む。定着器アセンブリ７０は、加熱された定着器ローラ７２と加圧ローラ７４を含むことが好ましく、複写用紙上の粉末画像が定着器ローラ７２と接触する。加圧ローラは、定着器ローラに対してカム駆動され、トナー粉末画像を複写用紙に固定するのに必要な圧力を提供する。定着器ロールは、石英水銀灯（図示せず）によって内部で加熱される。リザーバ（図示せず）内に保存された剥離剤が、計量供給ロール（図示せず）にポンプで送られる。トリミング用ブレード（図示せず）により、余分な剥離剤がトリミングされる。剥離剤は、ドナーロール（図示せず）に転写され、次に定着器ロール７２に転写される。
【００１５】
用紙は次に、画像が永久的に用紙に固定又は定着される定着器７０を通過する。定着器７０を通過した後、ゲート８０は、用紙を、出口８４を介して仕上げ機又はスタッカに直接移動させるか、或いは、用紙を、両面印刷用通路１００に、特にここでは最初に単一用紙変換器８２に偏向させるかのいずれかを行わせる。すなわち、用紙が片面印刷用紙であるか、又は、第１面及び第２面の両方の上に画像が形成されて仕上げられた両面用紙である場合、用紙はゲート８０を介して、出口８４に直接運ばれる。しかしながら、用紙が両面印刷用で、その時点では第１面にしか画像が印刷されていない場合、ゲート８０は、その用紙を変換器８２及び両面ループ通路１００に偏向させるように位置させられ、そこでその用紙は反転され、次に、出口通路８４を通って出て行く前に、転写ステーションＤを逆に通って再循環するように加速ニップ１０２とベルト移送部１１０に給紙され、その両面印刷用用紙の裏面に第２面の画像を受け取り、該第２面の画像を永久的に定着させるように定着器７０に送られる。
【００１６】
印刷用紙がベルト１０の光導電性面１２から分離された後、該光導電性面１２に付着している残りのトナー／現像剤及び紙の繊維状粒子は、清掃ステーションＥにおいて、そこから取り除かれる。清掃ステーションＥは、回転可能に取り付けられた、光導電性面１２と接触して紙の繊維を乱し取り除く繊維状ブラシと、転写されなかったトナー粒子を取り除く清掃ブレードとを含む。ブレードは、適用に応じて、ワイパー位置或いはドクター位置のいずれかに設けることができる。清掃に続いて、次の連続する画像サイクルのために光導電性面１２を帯電する前に、放電ランプ（図示せず）が光によって光導電性面１２を照射し、その上に残っている残留静電電荷を放散させる。
【００１７】
図２は、磁気現像ハウジング４０（図１参照）の一部であるフェースプレート４１を含む磁気現像ユニット３８の部分分解斜視図を示す。フェースプレート４１は、ばね付勢されたトナーシールリテーナ９０を支持するシール着座４２を含む。磁気ロール４５は、ハウジング４０から磁気ロール４５に計量供給されたトナーが、現像ハウジング４０の両端部から漏れないように、現像ハウジング４０のシールリテーナ９０に嵌合する。シールリテーナ９０は、磁気ロール４５の両端部に配置されている。これまで、フェルト・シールリテーナを磁気ロールに取り付けることに伴う問題があるだけでなく、フェルト・シールリテーナは、それらを支持体に付着させるのに効果がない接着剤を有することが多く、磁気ロールの回転により、シールリテーナが位置からはずれて回転し、磁気トナーがプリンタの内部に漏れることなり、複写品質及びプリンタ性能に悪影響を及ぼす。
【００１８】
図３に示されるように、プラスチック・トナーリテーナシール９０が用いられる。プラスチック・トナーリテーナシール９０は、トナーが磁気ロール４５の両端部から漏れるのを防止し、トナー・リテーナシールへの磁気ロールの取付け部を最小にするのに用いられる。プラスチック・トナーリテーナシール９０は、フェルト・シール部材９１を含み、フェルト・シール部材９１は、プラスチック・リテーナ９５内に固定的に保持され、プラスチック・リテーナ９５は、フェルト・シール部材９１を、プラスチック・リテーナの構成部材９６、９７、９８及び９９によって与えられるばね作用によって保持する。フェルト・シール９１は、プラスチック・リテーナ９５内に静的に押し込められている。側部プラスチックばね９６、９７及び９８は、シール９１がリテーナ９５から持ち上がることを防止し、リテーナ９５の上端部のリップ９９は、シールが位置からはずれて回転することを防止する。何らかの設計パラメータに適合させるように、プラスチック・リテーナを適正な形状に成形することもできる。適切な接着剤を用いて、シール部材９１をプラスチック・リテーナ９５に取り付けることもできる。プラスチック・リテーナ９５の端部が、垂直方向の壁９９を有し、接着剤及び該垂直方向の壁の助けによって、磁気ロール４５によるシール部材の回転が制限されるように適合されることに注意すべきである。さらに、接着剤及び垂直方向の壁は、ばね付勢されたプラスチック・リテーナ９５の側部と協働して、組立て中にリテーナ９５を一貫して容易に現像ハウジングに挿入することを可能にする。
【００１９】
ここで、磁気現像ハウジングからトナーを受け取るように配置された磁気ロールの両端部からトナーが漏れることを防止する、改善され、より安価なばね付勢されたプラスチック・トナーシールリテーナが開示されることを理解すべきである。フェルト・シールは、プラスチック・リテーナにより与えられるばね作用によって、該プラスチック・リテーナ内に保持される。
【図面の簡単な説明】
【００２０】
【図１】改善された磁気現像ハウジング・シールを用いる磁気現像ハウジングを含む、典型的な電子写真式印刷機の概略的な外観図である。
【図２】磁気ロール、シール、及び現像ハウジング・カバープレートを示す、概略的な部分分解斜視図である。
【図３】磁気現像ハウジングのフェースプレートにシールされた磁気ロールを示す概略的な側面図である。
【符号の説明】
【００２１】
１０：光導電性ベルト
１２：光導電性面
３８：磁気現像ユニット
４０：ハウジング
４１：フェースプレート
４２：シール着座
４５：磁気ロール
９０：プラスチック・トナーリテーナシール
９１：フェルト・シール
９５：プラスチック・リテーナ
９６、９７、９８：側部プラスチックばね
９９：上端部のリップ
Ａ：帯電ステーション
Ｂ：露光ステーション
Ｃ：ステーション
Ｄ：転写ステーション
Ｅ：清掃ステーション
Ｆ：定着ステーション
【図１】
2005208637.tif 000003
【図２】
2005208637.tif 000004
【図３】
2005208637.tif 000005